(57)【要約】【課題】  平面型放電ランプの始動電圧を効果的に低下させると共に、耐圧強度を上げる。【解決手段】  透光性の前面基板１と背面基板２とを対向させて配置した平面状放電容器１１と、平面状放電容器１１内に封入された放電媒体１２と、前面基板１と背面基板２との間隙に設けられた細長のスペーサー８と、背面基板の内壁又は外壁に放電媒体に接触しないように設けられた任意形状で細長の外部電極６，７とを具備する平面型放電ランプ２０にあって、背面基板２の細長の外部電極６又は７が形成される位置に相当するランプ内壁に、放電媒体１２に露出するようにしてＭｇＯ等の２次電子放出効果物質の層９を形成した。【選択図】      図１
2006024508.tif 000002
【特許請求の範囲】
【請求項１】
透光性の前面基板と背面基板とを対向させて配置し、内部を気密に封止した面状放電容器と、
前記面状放電容器内に封入された放電媒体と、
前記前面基板と背面基板との間隙に設けられた任意形状で細長のスペーサーと、
前記背面基板の外壁に設けられた細長の外部電極とを具備する平面型放電ランプにおいて、
前記背面基板の細長の外部電極が形成される位置に相当するランプ内壁に、前記放電媒体に露出されるようにして２次電子放出効果物質の層を形成したことを特徴とする平面型放電ランプ。
【請求項２】
前期２次電子放出効果物質は、ＭｇＯ，Ａｌ２Ｏ３，ＢａＯ，ＳｒＯ，ＣａＯ，ＢａＣＯ３，ＳｒＣＯ３，ＣａＣＯ３の少なくとも一つ以上を含んだことを特徴とする請求項１に記載の平面型放電ランプ。
【請求項３】
前記外部電極は、高電圧が印加される電極と低電圧が印加される電極とが交互に配置された構成であり、前記外部電極の長手方向と前記スペーサーの長手方向とは略平行であり、前記スペーサーと背面基板との接合面は、前記電極の最大幅内に位置するように配置されることを特徴とする請求項１又は２に記載の平面型放電ランプ。
【請求項４】
前記スペーサーは、その長手方向に垂直な断面の形状が、正方形、長方形、台形、逆台形、管形、円柱形、三角形、逆三角型、凸形又は凹形であることを特徴とする請求項１〜３のいずれかに記載の平面型放電ランプ。
【請求項５】
前記スペーサーは、前記背面基板側から観測した見かけ上の形状が、連続的な、線状、長方形、正弦波形状、三角波形状又は矩形波形状であることを特徴とする請求項１〜４のいずれかに記載の平面型放電ランプ。
【請求項６】
前記外部電極は、帯状又は中央部で幅が減少した帯状であることを特徴とする請求項１〜５のいずれかに記載の平面型放電ランプ。
【請求項７】
前記外部電極は、正弦波形状、三角波形状又は矩形波形状に蛇行していることを特徴とする請求項１〜５のいずれかに記載の平面型放電ランプ。
【請求項８】
前記スペーサーは、前記前面基板と一体的に形成されたことを特徴とする請求項１〜７のいずれかに記載の平面型放電ランプ。
【請求項９】
前記前面基板は、凹凸形状又は波型形状に形成されていることを特徴とする請求項８に記載の平面型放電ランプ。
【請求項１０】
透光性の前面基板と背面基板とを対向させて配置し、内部を気密に封止した面状放電容器と、
前記面状放電容器内に封入された放電媒体と、
前記前面基板と背面基板の少なくともどちらかの内側に塗布された蛍光体層と、
前記前面基板と背面基板との間隙に設けられた細長のスペーサーと、
前記背面基板の外壁に設けられた任意形状で細長の外部電極と、
前記背面基板の細長状の外部電極が形成される位置に相当するランプ内壁上に放電媒休に露出されるようにして形成された２電子放出効果物質の層とを具備する平面型放電ランプにおいて、
前記蛍光体層に、少なくともＡｌ２Ｏ３を含んだことを特徴とする平面型放電ランプ。
【請求項１１】
前記スペーサーは、透光性中空体であり、その内面に蛍光膜を形成し、希ガスを封入して気密にし、端部に外部電極を設置したことを特徴とする請求項１〜１０のいずれかに記載の平面型放電ランプ。
【請求項１２】
前記スペーサーの形状は、凸レンズ、凹レンズ又は平板状であることを特徴とする請求項１１に記載の平面型放電ランプ。
【請求項１３】
前記スペーサーの材質は、ガラス又は透光性セラミックであることを特徴とする請求項１１又は１２に記載の平面型放電ランプ。
【請求項１４】
請求項１〜１３のいずれかに記載の平面型放電ランプが、液晶ディスプレイのバックライト光源として利用されることを特徴とした照明装置。
【発明の詳細な説明】
【技術分野】
【０００１】
本発明は、平面型放電ランプ及び照明装置に関する。
【背景技術】
【０００２】
現在、液晶表示パネルのバックライト用光源として、数々の扁平、薄型の平面型放電灯が開発されている。この種の平面放電灯は、放電灯の発熱や消費電力が小さいことが要求され、また、点灯回路の小型化、軽量化の要求により、低電圧で駆動されることが望ましい。
【０００３】
ランプの始動電圧を低減させる方法としては、特許３０２６４１６（特許文献１）、特開２００３−１３２８５１（特許文献２）、特開２０００−９０８８４（特許文献３）、特開２００３−９２０８６（特許文献４）に示すように、ランプ内にＭｇＯを塗布する方法が取られている。ＭｇＯは高い２次電子放出能力を持っており、放電空間に放電の電圧を低下させる効果を有する。
【０００４】
特許文献１及び特許文献２では、特許文献２の図１に示すように、前面基板の内側に設けられた一対の電極層を覆う誘電体層の表面に、ＭｇＯ層が形成された構成が示されている。この場合、ＭｇＯ層は、放電空間に露出され、始動電圧の低減効果は得られるものの、ＭｇＯの形成位置が可視光が放射される前面基板側にあるため、背面基板等から放射される可視光がＭｇＯ層により吸収され、このため、ＭｇＯの形成位置において部分的に暗くなる問題を生じる。上記の例のように一対の電極が形成されている場合は、暗部がランプの両端に形成され、ＭｇＯによる暗部は実使用上さほど気にならないが、例えば液晶ＴＶ用途のように平面管が大型化する場合、複数対の電極を形成して放電領域を分担する場合は、発光面にＭｇＯ層による複数の暗線が形成され、発光の均斉度が低下する。
【０００５】
上述の画面の均斉度の問題から、ランプを大型化する場合、複数の電極を背面基板側に形成することにより改善される技術が知られている。特許文献３では、その図１に示すように、背面基板の内側に設置された電極上を覆う誘電体層の表面にＭｇＯ層が形成され、さらにＭｇＯ層を覆うようにして蛍光体が塗布されている。しかし、この方法の場合、始動電圧を低減する役割のＭｇＯ層の表面が蛍光体層で覆われているため、本来のＭｇＯの始動電圧の低減効果は半減される。
【０００６】
特許文献４では、その図１に示すように、背面基板の内側にはＭｇＯ粉末を含ませた蛍光体層が形成されている。しかし、ＭｇＯはキセノンから放射される真空紫外線１４７ｎｍ，１７２ｎｍを吸収する性質を有するため、蛍光体にＭｇＯを混合すると蛍光体の輝度が低下する問題がある。その結果、ＭｇＯの添加量を多く出来ないため始動電圧の低減効果は低下する。
【０００７】
また、平面型放電ランプは、円筒状ランプに比べ非常に強度が弱いため、大気圧による爆縮を防止する構造が必要である。しかし、その強度を得るために前面基板、背面基板の肉厚を厚くすると、軽量化や薄型化の妨げとなる。そこで、前面基板と背面基板の間にスペーサーを設けることにより耐圧を持たせ、薄型化を可能にするという案が出されている（特開２０００−５８００３号）。しかし、前面ガラスと背面ガラスの間にスペーサーを設けると、そのスペーサー自体は発光しないため、スペーサーが位置する部分の輝度が低下し、発光面に輝度ムラ（暗部）が発生する。輝度ムラ（暗部）が発生する例としては、図２２、図２３の平面型放電ランプ２０に示すように前面基板１と背面基板２の間に円柱状のスペーサー２１を用いた場合、前面基板１とスペーサー２１が接触した部分が、発光面から見ると線状に暗く、暗部になる。３は枠である。
【０００８】
この問題を解決するため特開昭６３−２３２２６０（特許文献５）では、スペーサー自体を発光させ、スペーサー部が輝度ムラにならないようにするという案が出されている。これは、スペーサーに円筒形のチューブを用い、その内面に蛍光膜を形成するとともに、一対の電極を設け（内部電極型）、放電ガスを封入し、スペーサーとされる円筒形チューブ自体を発光させ、平面型放電ランプの発光面の均一化を図るものである。しかし、スペーサー内部に電極を設けると、スパッタリングによる黒化のため、発光の均斉度を損なってしまう。
【特許文献１】特許３０２６４１６号広報
【特許文献２】特開２００３−１３２８５１号広報
【特許文献３】特開２０００−９０８８４号広報
【特許文献４】特開２００３−９２０８６号広報
【特許文献５】特開昭６３−２３２２６０号広報
【発明の開示】
【発明が解決しようとする課題】
【０００９】
本発明は、上記問題点に鑑みてなされたものであり、背面基板側に電極を形成した平面型放電ランプにおいて、発光強度の低下を生じずに始動電圧を効果的に低下させることができるものを提供することを目的としている。
【００１０】
また本発明は、強度を低下させることなくその軽量化、薄型化が図れる平面型放電ランプを提供することを目的としている。
【課題を解決するための手段】
【００１１】
請求項１の発明は、透光性の前面基板と背面基板とを対向させて配置し、内部を気密に封止した面状放電容器と、前記面状放電容器内に封入された放電媒体と、前記前面基板と背面基板との間隙に設けられた任意形状で細長のスペーサーと、前記背面基板の外壁に設けられた細長の外部電極とを具備する平面型放電ランプにおいて、前記背面基板の細長の外部電極が形成される位置に相当するランプ内壁に、前記放電媒体に露出されるようにして２次電子放出効果物質の層を形成したことを特徴とするものである。
【００１２】
請求項２の発明は、請求項１に記載の平面型放電ランプにおいて、前期２次電子放出効果物質は、ＭｇＯ，Ａｌ２Ｏ３，ＢａＯ，ＳｒＯ，ＣａＯ，ＢａＣＯ３，ＳｒＣＯ３，ＣａＣＯ３の少なくとも一つ以上を含んだことを特徴とするものである。
【００１３】
請求項３の発明は、請求項１又は２に記載の平面型放電ランプにおいて、前記外部電極は、高電圧が印加される電極と低電圧が印加される電極とが交互に配置された構成であり、前記外部電極の長手方向と前記スペーサーの長手方向とは略平行であり、前記スペーサーと背面基板との接合面は、前記電極の最大幅内に位置するように配置されることを特徴とするものである。
【００１４】
請求項４の発明は、請求項１〜３のいずれかに記載の平面型放電ランプにおいて、前記スペーサーは、その長手方向に垂直な断面の形状が、正方形、長方形、台形、逆台形、管形、円柱形、三角形、逆三角型、凸形又は凹形であることを特徴とするものである。
【００１５】
請求項５の発明は、請求項１〜４のいずれかに記載の平面型放電ランプにおいて、前記スペーサーは、前記背面基板側から観測した見かけ上の形状が、連続的な、線状、長方形、正弦波形状、三角波形状又は矩形波形状であることを特徴とするものである。
【００１６】
請求項６の発明は、請求項１〜５のいずれかに記載の平面型放電ランプにおいて、前記外部電極は、帯状又は中央部で幅が減少した帯状であることを特徴とするものである。
【００１７】
請求項７の発明は、請求項１〜５のいずれかに記載の平面型放電ランプにおいて、前記外部電極は、正弦波形状、三角波形状又は矩形波形状に蛇行していることを特徴とするものである。
【００１８】
請求項８の発明は、請求項１〜７のいずれかに記載の平面型放電ランプにおいて、前記スペーサーは、前記前面基板と一体的に形成されたことを特徴とするものである。
【００１９】
請求項９の発明は、請求項８に記載の平面型放電ランプにおいて、前記前面基板は、凹凸形状又は波型形状に形成されていることを特徴とするものである。
【００２０】
請求項１０の発明は、透光性の前面基板と背面基板とを対向させて配置し、内部を気密に封止した面状放電容器と、前記面状放電容器内に封入された放電媒体と、前記前面基板と背面基板の少なくともどちらかの内側に塗布された蛍光体層と、前記前面基板と背面基板との間隙に設けられた細長のスペーサーと、前記背面基板の外壁に設けられた任意形状で細長の外部電極と、前記背面基板の細長状の外部電極が形成される位置に相当するランプ内壁上に放電媒休に露出されるようにして形成された２電子放出効果物質の層とを具備する平面型放電ランプにおいて、前記蛍光体層に、少なくともＡｌ２Ｏ３を含んだことを特徴とするものである。
【００２１】
請求項１１の発明は、請求項１〜１０のいずれかに記載の平面型放電ランプにおいて、前記スペーサーは、透光性中空体であり、その内面に蛍光膜を形成し、希ガスを封入して気密にし、端部に外部電極を設置したことを特徴とするものである。
【００２２】
請求項１２の発明は、請求項１１に記載の平面型放電ランプにおいて、前記スペーサーの形状は、凸レンズ、凹レンズ又は平板状であることを特徴とするものである。
【００２３】
請求項１３の発明は、請求項１１又は１２に記載の平面型放電ランプにおいて、前記スペーサーの材質は、ガラス又は透光性セラミックであることを特徴とするものである。
【００２４】
請求項１４の発明の照明装置は、請求項１〜１３のいずれかに記載の平面型放電ランプが、液晶ディスプレイのバックライト光源として利用されることを特徴としたものである。
【発明の効果】
【００２５】
本発明によれば、背面基板の外壁に形成された外部電極に対応する位置において、ＭｇＯなどの２次電子放出物質を放電媒体に露出させるようにして部分的に塗布することによりランプの始動電圧を低減でき、その結果、蛍光体にはＭｇＯ等の輝度低下を生じさせる物質を混合させる必要がなく、蛍光体の輝度向上が図れる。また、前面基板にも輝度低下を生じさせるＭｇＯ層が形成されていないので両面の均斉度を向上させることができる。
【発明を実施するための最良の形態】
【００２６】
以下、本発明の実施の形態を図に基づいて詳説する。
【００２７】
（第１の実施の形態）図１は本発明の第１の実施の形態の平面型放電ランプ２０を光源とする照明装置の斜視図である。本実施の形態の平面型放電ランプ２０では、透光性のガラス板から構成される前面基板１と背面基板２を略一定の間隔で対向させて配置し、前面基板１と背面基板２の周辺部を側壁３を介してフリットガラス４で接着して平面状放電容器１１を形成する。
【００２８】
平面状放電容器１１の内部には、放電媒体１２として、水銀蒸気、キセノン、クリプトン、アルゴン、ネオン、ヘリウムが単独もしくは２種類以上混合されて、数ｋＰａから数１００ｋＰａの封入圧力で封入されている。
【００２９】
前面基板１と背面基板２との間には、細長状のスペーサー８が一定の間隔で複数本配置されており、前面基板１と背面基板２の間隔を一定に保つとともに、放電容器１１の内外気圧差によるランプの爆縮による破損を防止する。スペーサー８の断面形状は、図１に示すような直方体以外に、図２、図３に示すような台形状、図４、図５に示すような三角形状、図６に示すような円形状、図７に示すような管型など多彩な形状をとることができる。背面基板２側からみたスペーサー８の側面形状は、図８に示すような直線状、図９に示すような波形状、図１０に示すような方形波形状のように細長状で連続的な構成や、図１１に示すような断線形状をとることができる。
【００３０】
また、前面基板１と背面基板２との間にスペーサー８を設置する代わりに、図１２に示すように前面基板１を凹凸に形成し、凸部１ｂを背面基板２に押し当てて、スペーサーとして機能させることもできる。
【００３１】
図１に示すように、背面基板２の外面には、高圧電圧を印加する外部電極６と、低圧電圧を印加する外部電極７が交互に配置される。外部電極６と７の形状は、図１に示す帯型形状をとる以外に、例えば、図１３の電極１０のように凸部を側面に設けた形状、図１４に示すように中央部の厚みを狭くした帯状の形状とし、あるいは図１５に示すように三角波形状にするなど多彩な異形状にすることができる。ここでＬは電極の最大幅を示している。
【００３２】
スペーサー８と背面基板２の接合面の長手方向と電極の長手方向とは略平行であり、スペーサー８と外面電極６，７との接合面は、個々の電極の最大幅Ｌより内に存在するように配置される。これにより、１本の外部電極６又は７は、線状スペーサー８によって分割される放電空間１３のそれぞれに露出され、それぞれの放電空間１３の電極として作用することができる。背面基板２の端部に設けられる外部電極７´の電極幅は、中央部の外面電極６，７がそれぞれ放電空間１３への露出する電極幅程度に細く形成されている。
【００３３】
電極６，７が形成される位置に対応する放電空間１３には、封入ガスに直接露出するように、２次電子放出係数が高い２次電子放出物質９が形成される。上記２次電子放出物質９は、ＭｇＯ，Ａｌ２Ｏ，ＢａＯ，ＳｒＯ，ＣａＯ，ＢａＣＯ３，ＳｒＣＯ３，ＣａＯ３の少なくとも一つ以上を含んだ構成である。
【００３４】
図１に示すように、２次電子放出物質９は、電極６又は７が形成される位置の反対面のほぼ全面に塗布してもよいが、図１２に示すように一つの電極に対して分割して塗布する構成としてもよい。
【００３５】
前面基板１又は背面基板２の内側には、それぞれ蛍光体層５ａ，５ｂが形成されている。背面基板２側の蛍光体５ｂの形成についてであるが、上述の２次電子放出物質９が形成されている位置においては、図１に示すように背面基板２と２次電子放出物質９の間に形成されるか、又は、背面基板２と２次電子放出物質９の間には塗布せず、必ず２次電子放出物質９が放電空間１３側に露出するように塗布されている。
【００３６】
また、平面状放電容器１１のその他の形成例としては、前面基板１と背面基板２のどちらか一方の基板を盆状に熱成形して側壁３を省略する構成や、フリットガラス４を使用しないで基板の周辺部を加熱してガラスを溶融させて接着する方法を用いてもよい。
【００３７】
以上のように第１の実施の形態によれば、背面基板の外壁に形成された外部電極に対応する位置において、ＭｇＯなどの２次電子放出物質を放電媒体に露出させるようにして部分的に塗布することにより、ランプの始動電圧を低減できる。その結果、蛍光体にはＭｇＯなどの輝度低下を生じさせる物質を混合させる必要がなくなり、蛍光体の輝度低下を生じさせない。同様に、前面基板にも輝度低下を生じさせるＭｇＯの層が形成されていないので、画面の均斉度の低下を生じさせない
（第２の実施の形態）図１において、前面基板１又は背面基板２の内側には、それぞれ蛍光体層５ａ，５ｂが形成されているが、これらの蛍光体層５ａ，５ｂに使用される蛍光体には、少なくとも初期電子を放出するＡｌ２Ｏ３が混合したものを使用する。
【００３８】
こうすることによって、Ａｌ２Ｏ３を含まない構成のものに比べて、始動電圧を約３０〜７０Ｖ低減することができる。しかし、電極部に塗布された２次電子放出効果物質がない場含、蛍光体にＡｌ２Ｏ３を混合しても２次電子放出効果物質による大幅な始動電圧の低減効果は得られないため、本実施の形態の構成が最も始動電圧を低減することができる。
【００３９】
また、特許文献４（特開２００３−９２０８６号公報）の構成では、蛍光体にはＭｇＯ等を混合した例が示されているが、ＭｇＯは蛍光体との混合スラリーを作成する際に黄変し、蛍光体層が変色したり、放電媒体から放射される紫外線を吸収してランプの輝度低下を生じる問題がある。これに対して本実施の形態で使用するＡｌ２Ｏ３はＭｇＯのような変色を生じず、また紫外線の吸収も少ないので、Ａｌ２Ｏ３混合によるランプの輝度低下は、ＭｇＯに比べて少ない利点がある。
【００４０】
（第３の実施の形態）図１６は本発明の第３の実施の形態の平面型放電ランプの上面図であり、図１７は図１６におけるＡ−Ａ´での断面図、図１８はスペーサーを設置する地点の拡大図である。所定の間隔で対向する前面基板１と背面基板２の両方に蛍光体層５ａ，５ｂを有しており、前面基板１と背面基板２の間の放電空間１３内には希ガスあるいは希ガスを含む複数の混合ガスが封入されている。電極１０は本実施の形態の場合、背面基板２の放電空間１３の外部に一対形成されているが、放電空間１３内に設置してもよい。
【００４１】
本実施の形態ではスペーサー２１にレンズを使用しており、背面基板２側から入射した光はスペーサー２１を介して、前面基板１とスペーサー２１が接触する個所に集光し、発光面に輝度ムラ（暗部）ができない構造にしている。
【００４２】
スペーサー２１の材質はガラスでもよいが、強度、加工性を考慮してアクリル樹脂、ポリカーボネート、高密度ポリエチレンなどのプラスチックでもよい。また、前面基板１と背面基板２の間にスペーサー２１を設置するとき、背面基板２からの光がレンズに入射しにくい場合は、スペーサー２１と背面基板２の間に、図１９に示すようにスペーサー２２を介してもよい。
【００４３】
レンズの形状に関しては、本実施の形態では凸レンズを図示しているが、凸レンズに限らず、凹レンズあるいは平板状レンズでもよい。
【００４４】
このような構成にすることで、スペーサーを用いることで発生していた輝度ムラを消去することが可能となり、発光面が均一な平面型放電ランプを得ることが可能となる。
【００４５】
（第４の実施の形態）次に、本発明の第４の実施の形態の平面型放電ランプについて、図２０、図２１を用いて説明する。図２０は本発明の第４の実施の形態の平面型蛍光ランプの正面図、図２１は図２０におけるＡ−Ａ′線断面図である。本実施の形態の特徴は、前面基板１と背面基板２とに透光性セラミックを採用し、両基板１，２間のスペーサーを排除したことを特徴とする。所定の間隔で対向する透光性セラミック製の前面基板１、背面基板２それぞれはその内面に蛍光体層を有しており、その基板１，２間の放電空間には希ガス若しくは希ガスを含む複数の混合ガスが封入されている。図中の３は側壁である。電極６は本実施の形態の場合、背面基板２の放電空間外部に一対形成されているが、放電空間内に設置してもよい。
【００４６】
これらの前面基板と背面基板とにガラス材を採用した場合、大気圧による爆縮を防止するために前面基板１と背面基板２との間に図２３のようにスペーサーを介することが必要となり、ランプの大型化に伴ってその数は増加する。これに対して本実施の形態のように、透光性セラミック基板を採用することで、前面基板と背面基板との強度が向上し、図２１に示すように両基板間にスペーサーを介さずとも済み、均一な発光が得られる。
【００４７】
ランプ重量についても、従来例にてソーダガラスを使用した場合、その比重が２．４９であるが、本実施の形態のように透光性セラミック製の前面基板１、背面基板２を採用することで両基板の重量を約８５％軽減でき、３２インチの画面サイズのものでガラス製では約１．６ｋｇであったものが、約２４０ｇに低減できる。
【００４８】
さらに、透光性セラミックは一般的に９９．９％以上２次電子放出物質であるアルミナ（Ａｌ２Ｏ３）であるため、ランプの始動性を向上させるための２次電子放出物質（アルカリ金属やアルカリ土類金属の酸化物など）をランプ内面に形成する必要がなく、製造工程を削減することができ、ランプの調光特性も改善できる。加えて、透光性セラミックはそれ自体が乳白色であるため、ランプの発光が多数の収縮陽光柱を利用するものである場合にはそれ自体が拡散板として機能し、均一な発光面を得ることができる。
【図面の簡単な説明】
【００４９】
【図１】本発明の第１の実施の形態の平面型放電ランプを用いた照明装置の斜視図。
【図２】上記第１の実施の形態の平面型放電ランプにおいて、スペーサーとして断面が台形状のものを用いた場合の一部を省略した斜視図。
【図３】上記第１の実施の形態の平面型放電ランプにおいて、スペーサーとして断面が逆台形状のものを用いた場合の一部を省略した斜視図。
【図４】上記第１の実施の形態の平面型放電ランプにおいて、スペーサーとして断面が三角形状のものを用いた場合の一部を省略した斜視図。
【図５】上記第１の実施の形態の平面型放電ランプにおいて、スペーサーとして断面が逆三角形状のものを用いた場合の一部を省略した斜視図。
【図６】上記第１の実施の形態の平面型放電ランプにおいて、スペーサーとして断面が円形状のものを用いた場合の一部を省略した斜視図。
【図７】上記第１の実施の形態の平面型放電ランプにおいて、スペーサーとして断面が中空円形状のものを用いた場合の一部を省略した斜視図。
【図８】上記第１の実施の形態の平面型放電ランプにおいて、スペーサーとして底面形状が直線状のものの長手方向に平行な断面図。
【図９】上記第１の実施の形態の平面型放電ランプにおいて、スペーサーとして底面形状が波形状のものの長手方向に平行な断面図。
【図１０】上記第１の実施の形態の平面型放電ランプにおいて、スペーサーとして底面形状が方形波形状のものの長手方向に平行な断面図。
【図１１】上記第１の実施の形態の平面型放電ランプにおいて、スペーサーとして底面形状が断線形状のものの長手方向に平行な断面図。
【図１２】本発明の第１の実施の形態の平面型放電ランプの変形例の斜視図。
【図１３】本発明の第１の実施の形態の平面型放電ランプにおいて用いる、凸部を側面に設けた電極の断面図。
【図１４】本発明の第１の実施の形態の平面型放電ランプにおいて用いる、中央部の厚みを狭くした帯状の形状の電極の断面図。
【図１５】本発明の第１の実施の形態の平面型放電ランプにおいて用いる、三角波形状の電極の断面図。
【図１６】本発明の第３の実施の形態の平面型放電ランプの上面図。
【図１７】図１６におけるＡ−Ａ´での断面図。
【図１８】本発明の第３の実施の形態の平面型放電ランプにおけるスペーサー設置部の拡大図。
【図１９】本発明の第３の実施の形態の平面型放電ランプの別例におけるスペーサー設置部の拡大図。
【図２０】本発明の第４の実施の形態の平面型放電ランプの背面図。
【図２１】図２０におけるＡ−Ａ′線断面図。
【図２２】従来の平面型放電ランプの上面図。
【図２３】図２２におけるＢ−Ｂ´での断面図。
【符号の説明】
【００５０】
１  前面基板
２  背面基板
３  側壁
４  フリットガラス
５ａ，５ｂ  蛍光体層
６，７，７´，１０  電極
８，２１，２２  スペーサー
９  ２次電子放出効果物質
１１  平面状放電容器
１２  放電媒体
１３  放電空間
２０  平面型放電ランプ
Ｄ  輝度ムラ
Ｌ  電極最大幅
【図１】
2006024508.tif 000003
【図２】
2006024508.tif 000004
【図３】
2006024508.tif 000005
【図４】
2006024508.tif 000006
【図５】
2006024508.tif 000007
【図６】
2006024508.tif 000008
【図７】
2006024508.tif 000009
【図８】
2006024508.tif 000010
【図９】
2006024508.tif 000011
【図１０】
2006024508.tif 000012
【図１１】
2006024508.tif 000013
【図１２】
2006024508.tif 000014
【図１３】
2006024508.tif 000015
【図１４】
2006024508.tif 000016
【図１５】
2006024508.tif 000017
【図１６】
2006024508.tif 000018
【図１７】
2006024508.tif 000019
【図１８】
2006024508.tif 000020
【図１９】
2006024508.tif 000021
【図２０】
2006024508.tif 000022
【図２１】
2006024508.tif 000023
【図２２】
2006024508.tif 000024
【図２３】
2006024508.tif 000025